(57)【特許請求の範囲】
【請求項１】
先端部に排気箱が連結されるとともに、後部に燃焼室が形成され、かつ、循環パイプが接続された熱交換器と、前記熱交換器を加熱するバーナ部と、このバーナ部に燃焼用空気を供給するバーナ送風機とが一体的に組み付けられて構成される加熱ユニットを有し、この加熱ユニットが、前記排気箱に取り付けた係止金具を支点として保持板に蝶着・支持されていることを特徴とする燃焼機器。
【請求項２】
前記加熱ユニットの回動支点が燃焼機器の前面側に形成されていることを特徴とする請求項１に記載の燃焼機器。
【発明の詳細な説明】
【０００１】
【発明の属する技術分野】
本発明は、温水暖房用の熱源機等、燃焼機器に関し、詳しくは、燃焼機器が備える熱交換器、バーナ部、バーナ送風機等を一体的に組み付けて構成された加熱ユニットの取付構造に関するものである。
【０００２】
【従来の技術】
図５は、燃焼機器として熱源機の内部構造を示す図であって、（ａ）は正面図、（ｂ）は平面図である。
【０００３】
先ず、図５により熱源機の内部構造を説明すれば、先端部に排気箱２が連結され、後部に燃焼室４が形成された熱交換器３と、液体燃料を気化・燃焼させて前記熱交換器３を加熱するバーナ部５と、このバーナ部５に燃焼用空気を供給するバーナ送風機６とが各々一体的に組み付けられて加熱ユニット３０が構成され、外装体１内の上部中央に固定されている。また、図示しないが、前記バーナ部５は、中空円筒内部（バーナチューブ）に液体燃料噴霧ノズルや着火のための点火プラグ、フレームロッド等を一体的に収容して構成されている。
【０００４】
また、前記加熱ユニットに並設して熱交換器３からの温水を一時貯留しておくためのシスタータンク１０が設置されている。一方、底部の架台１２上には燃焼用の液体燃料を貯留しておくための大型燃料タンク１３が収納されており、その上面部には、タンク内の液体燃料を吸引して前記バーナ部５に供給するための電磁ポンプ１４が接続されており、これに連結された送油管１５を介して図示しないバーナ部５内の液体燃料噴霧ノズルに接続されている。さらに、この架台１２上の前記シスタータンク１０の下方に当たる一側部に前記熱交換器３で熱交換された温水を循環パイプ２３を通して床暖房パネルやファンコンベクタなどの外部放熱器（図示せず）に循環・供給するための循環ポンプ７が設置されている。
【０００５】
上記構成において、燃焼運転を開始すると、先ず、バーナ送風機６が動作し、機外から引き込まれた燃焼用空気が一次空気としてバーナ部５のバーナチューブ内に供給される。ここで、電磁ポンプ１４を動作させると、液体燃料噴霧ノズルから液体燃料が噴霧されて一次空気と混合される。この混合ガスが点火プラグの放電スパークによって着火され、バーナ部５は前方の燃焼室４に火炎を形成して燃焼を開始する。さらに、燃焼室４で燃焼された高温の排気ガスが熱交換器３に流入して循環パイプ２３内の循環水と熱交換され、排気箱２を通って排気トップ９から外装体１の外に排出される。こうして加熱された温水は、上記したように外部配管を介して外部放熱器に循環供給される。
【０００６】
【発明が解決しようとする課題】
ところで、上記した従来の熱源機の加熱ユニット３０は、図６に示すように、排気箱２側がこの排気箱２の端面部に装着した固定金具Ａを保持板１８の壁面に装着した保持金具Ｂに前方からネジＣ止めすることにより固定されていた。そのため、バーナ部５の保守・点検（例えば、点火プラグ、フレームロッド等の掃除や交換）を行う場合、前パネル等のパネルを外して外装体１の正面を開放させた状態とし、そして、熱交換器３に接続されている循環パイプ２３を外した後に、加熱ユニット３０の全体を外装体１の外部に引き出して、バーナ部５と熱交換器３の結合を解く必要があり、バーナ部５の保守・点検作業が面倒で、時間がかかるばかりでなく、循環パイプ２３の接続を外さなければならず、熱交換器３や循環パイプ２３内の液（不凍液）が外部に流出したり、保守・点検後の循環パイプ２３の接続が不十分な場合には、使用中に液漏れする等の不具合が生じる心配があった。
【０００７】
本発明は、上記実情に鑑みてなされたものであり、熱交換器に接続されている循環パイプを外すことなく、バーナ部の保守・点検が行えるようにして、メンテナンス性の向上を図った燃焼機器を提供することを目的としている。
【０００８】
【課題を解決するための手段】
すなわち、請求項１に記載の本発明では、先端部に排気箱が連結されるとともに、後部に燃焼室が形成され、かつ、循環パイプが接続された熱交換器と、前記熱交換器を加熱するバーナ部と、このバーナ部に燃焼用空気を供給するバーナ送風機とが一体的に組み付けられて構成される加熱ユニットを有し、この加熱ユニットが、前記排気箱に取り付けた係止金具を支点として保持板に蝶着・支持されていることを特徴とするものである。
【０００９】
また、請求項２に記載の本発明では、前記加熱ユニットの回動支点が燃焼機器の前面側に形成されていることを特徴とするものである。
【００１０】
【発明の実施の形態】
以下、本発明の実施形態例を図１ないし図４に基づき説明する。
【００１１】
図示するように、排気箱２、熱交換器３、バーナ部５、およびバーナ送風機６等が各々横方向に一体的に組み付けられて加熱ユニット３０が構成される点は、図５で説明した従来型と同様であるが、本実施形態では、加熱ユニット３０が排気箱２の頂部に取り付けたＬ型の係止金具２０を支点として、これに並設されたシスタータンク１０との間に付設された保持板１８に蝶着・支持されている点が従来と相違している。この保持板１８はコの字形で、機器の前面より奥側に向けて垂設され、その奥側の辺が外装体１の背面にネジ止めにより固定されている。なお、シスタータンク１０、循環ポンプ７、燃料タンク１３等の構成・配置は全て図５と同様であるので、その説明は省略する。
【００１２】
図３は、前記加熱ユニット３０の蝶着・支持機構の一実施形態を示している。図示するように、コの字形の保持板１８の前辺にはスリット状の係止孔１９が複数個一列に形成されており、一方、排気箱２に取り付けたＬ形の係止金具２０には前記保持板１８の係止孔１９に遊嵌する鉤形の係止爪２１が設けてあり、この係止爪２１を前記保持板１８の係止孔１９に内側から挿入することで、その鉤部が係止孔１９に係止され、加熱ユニット３０は係止爪２１を支点として保持板１８に回動自在に支持される。さらに、バーナ部５の外筒部分を固定金具２２ａを用いて外装体１の背面にビス固定された仕切板２２ｂにビス固定することで、保持板１８に支持された加熱ユニット３０は機器本体にしっかりと固定される。
【００１３】
上記構成において、加熱ユニット３０のバーナ部５を固定している固定金具２２ｂを外して加熱ユニット３０をフリーな状態にしておいて加熱ユニット３０を手前に引けば、図４に示すように、加熱ユニット３０は排気箱２側を支点に回動してバーナ部５が機器の正面側に突出するので（この場合、循環パイプはゴム製であるので加熱ユニット３０の回動の妨げにはならない）、作業者は加熱ユニット３０を係止させたままの状態でバーナ部５の分解・清掃の保守・点検を行うことができる。なお、バーナ部５と燃焼室４とを連結する止めネジ２４を外すことでバーナ部５は簡単に取り外せる。例えば、前記止めネジ２４としてＳタイトネジを使用すればナットが不要であるから、バーナ部５の分解・取り付け作業はより簡単で、且つ確実に行える。
【００１４】
また、バーナ部５を取り外しても熱交換器３や排気箱２は係止金具２０によって本体側に支持されているので単独作業が可能であり、しかも、作業者が機器の正面側より作業できるので、作業性は極めて良い。また、保守・点検作業は加熱ユニット３０を取り外さずに行えるから、循環パイプ２３を外す必要はなく、したがって液漏れの心配はない。
【００１５】
【発明の効果】
以上説明したように、請求項１に記載の本発明によれば、排気箱、熱交換器、バーナ部、およびバーナ送風機で構成される加熱ユニットを、その先端部を支点として蝶着・支持する構成としたので、加熱ユニットのバーナ部側をフリーにして手前に回動することにより、バーナ部を機器の正面側に突出させることができる。したがって、保守・点検時、作業者は加熱ユニットを係止させたまま、且つ機器の前面よりバーナ部の分解・清掃を行うことができるようになり、作業性は大幅に向上する。しかも、循環パイプを外す必要がないので、液漏れの心配がない。
【００１６】
また、請求項２に記載の本発明によれば、加熱ユニットの回動支点を燃焼機器の前面側に形成したから、加熱ユニットの回動スペース（機器の奥行き）を極力小さくすることができ、機器を小形にできる。
【図面の簡単な説明】
【図１】本発明が適用された熱源機の構造を示す図で、（ａ）は正面図、（ｂ）は右側面図である。
【図２】本発明が適用された熱源機の構造を示す上面図および部分拡大図である。
【図３】加熱ユニットの蝶着・支持構造を示す図で、（ａ）は正面図、（ｂ）は部分断面図である。
【図４】加熱ユニットを手前に回動した状態を示す熱源機の上面図である。
【図５】従来の熱源機の内部構造を示す図で、（ａ）は正面図、（ｂ）は右側面図である。
【図６】従来の加熱ユニットの固定構造を示す上面図である。
【符号の説明】
２  排気箱
３  熱交換器
４  燃焼室
５  バーナ部
６  バーナ送風機
１８  保持板
２０  係止金具
２３  循環パイプ
３０  加熱ユニット
【図１】
0003619639.tif 000002
【図２】
0003619639.tif 000003
【図３】
0003619639.tif 000004
【図４】
0003619639.tif 000005
【図５】
0003619639.tif 000006
【図６】
0003619639.tif 000007